(57)【要約】【課題】出力端子を複数種類の音声出力装置で共用した場合に、出力端子に接続される音声出力装置に応じた適当な音量で音声を聴取することができる音量制御装置及び該音量制御装置を備える表示装置を提供する。【解決手段】出力端子５に接続される第１音声出力装置５１及び第２音声出力装置５２に対応した複数の音量から一の音量を選択できる構成とした。そのため第２音声出力装置５２と、第２音声出力装置５２に比べて小さな音量を放出する第１音声出力装置５１とが出力端子５を共用する場合でも、第１音声出力装置５１から過大な音量が放出されることはなく、ユーザの鼓膜に過大な負担を与えることを回避することができる。【選択図】図２
2011223170.tif 000002
【特許請求の範囲】
【請求項１】
音声信号を出力する出力端子と、該出力手段から出力される音声信号に係る音量を受け付ける受付手段と、該受付手段にて受け付けた音量に応じて、前記出力端子から出力される音声信号に係る音量を設定する設定部とを備える音量制御装置において、
複数の音声出力装置が前記出力端子を共用するようにしてあり、
複数の前記音声出力装置それぞれに対応した音量を記憶する記憶部を備え、
前記受付手段は、前記記憶部に記憶された音量からいずれかの音量を受け付けるようにしてあり、
前記設定部は、前記受付手段にて受け付けたいずれかの音量を設定するようにしてあること
を特徴とする音量制御装置。
【請求項２】
複数の前記音声出力装置は、耳に装着される一の音声出力装置と、他の音声出力装置とを含み、
前記記憶部に記憶された複数の音量は、前記一の音声出力装置に対応した一の音量及び前記他の音声出力装置に対応した他の音量を含み、
前記出力端子に音声出力装置が接続されたことを検出する検出手段を備え、
前記検出手段にて音声出力装置が接続されたことが検出された場合に、前記設定部は、前記一の音量又は他の音量を強制的に設定する手段を備えることを特徴とする請求項１に記載の音量制御装置。
【請求項３】
前記検出手段にて音声出力装置が接続されたことが検出された場合に、前記一の音量又は他の音量が強制的に設定されたことを報知する報知手段を備えることを特徴とする請求項２に記載の音量制御装置。
【請求項４】
請求項３に記載の音量制御装置と、映像を表示する表示部とを備え、
前記報知手段は、前記一の音量又は他の音量が強制的に設定されたことを前記表示部に表示させるようにしてあること
を特徴とする表示装置。
【請求項５】
請求項１から３のいずれか一つに記載の音量制御装置と、映像を表示する表示部とを備え、
前記受付手段は、前記記憶部に記憶された前記各音量からいずれかの音量を選択するための選択肢を前記表示部に表示させるようにしてあること
を特徴とする表示装置。
【発明の詳細な説明】
【技術分野】
【０００１】
本発明は、出力端子から出力される音声信号に基づく音量を制御する音量制御装置及び該音量制御装置を備える表示装置に関する。
【背景技術】
【０００２】
近年、放送波を受信するチューナを搭載した携帯端末装置が広く普及している。該携帯端末装置は、音声信号を出力するための出力端子を備えており、携帯端末装置のユーザは該出力端子にイヤフォンなどの音声出力装置を接続することによって、放送波に基づく音声を聴取することができる。特許文献１には、通常の音量の音声信号が出力端子から出力される通常起動モード及び通常起動モードよりも小さな音量の音声信号が出力端子から出力されるマナー起動モードを選択することができる携帯端末装置（携帯電話）が開示されている。特許文献１に記載の携帯電話は、ユーザがマナー起動モードを選択することによって、イヤフォンから出力される音量が低減され、電車内などの公共空間において周囲への音漏れを確実に防止することができる。
【０００３】
室内に設置する薄型の表示装置も、前記携帯電話と同様に出力端子を備えており、該出力端子にヘッドフォンなどの音声出力装置を接続することで、周囲への音漏れを防止することができる。従来、表示装置は、ヘッドフォンよりも大きな音量を要する音声出力装置、例えば外付けのスピーカ（モニタアウト）を接続するための出力端子を、ヘッドフォンを接続する出力端子とは別に備えていたが、最近では薄型化を図るためにヘッドフォンとモニタアウトとが出力端子を共用する表示装置が提案されている。
【先行技術文献】
【特許文献】
【０００４】
【特許文献１】国際公開第２００８／０１５８６４号パンフレット
【発明の概要】
【発明が解決しようとする課題】
【０００５】
前記表示装置においても、利便性を向上させるべく、特許文献１に記載の携帯電話のように、出力端子へ出力する音声信号に係る音量を選択することができるように構成することが考えられる。しかし、ヘッドフォンとモニタアウトとでは、使用に適した音量が異なる。そのため、モニタアウトに対応するように、複数の音量を選択することができるように構成した場合、モニタアウトに対応した音量を選択できるものの、あくまでモニタアウトに対応した音量の音声信号が出力されるに過ぎず、ヘッドフォンを出力端子に接続したときには、音量の選択に拘わらず、ヘッドフォンから過大な音量で音が放出される。その結果、ユーザの鼓膜に過大な負荷を与え、ユーザに不快感を与えるおそれがある。
【０００６】
本発明は斯かる事情に鑑みてなされたものであり、出力端子を複数種類の音声出力装置で共用した場合に、出力端子に接続される音声出力装置に応じた適当な音量で音声を聴取することができる音量制御装置及び該音量制御装置を備える表示装置を提供することを目的とする。
【課題を解決するための手段】
【０００７】
本発明に係る音量制御装置は、音声信号を出力する出力端子と、該出力手段から出力される音声信号に係る音量を受け付ける受付手段と、該受付手段にて受け付けた音量に応じて、前記出力端子から出力される音声信号に係る音量を設定する設定部とを備える音量制御装置において、複数の音声出力装置が前記出力端子を共用するようにしてあり、複数の前記音声出力装置それぞれに対応した音量を記憶する記憶部を備え、前記受付手段は、前記記憶部に記憶された音量からいずれかの音量を受け付けるようにしてあり、前記設定部は、前記受付手段にて受け付けたいずれかの音量を設定するようにしてあることを特徴とする。
【０００８】
本発明においては、出力端子に接続される音声出力装置に対応した複数の音量から一の音量を選択できる。そのためモニタアウトと、モニタアウトに比べて小さな音量を放出するヘッドフォンとが出力端子を共用する場合でも、適切な音量を選択することによって、ヘッドフォンから過大な音量が放出されることを防止する。また耳に装着される音声出力装置（ヘッドフォン及びイヤフォンなど）から出力される音声の音量と、他の音声出力装置から出力される音声の音量とを所定値以下に設定しておくことによって、耳に装着される音声出力装置及び他の音声出力装置のいずれを出力端子に接続しても、ユーザの鼓膜に過大な負荷を与えることはない。
【０００９】
本発明に係る音量制御装置は、複数の前記音声出力装置は、耳に装着される一の音声出力装置と、他の音声出力装置とを含み、前記記憶部に記憶された複数の音量は、前記一の音声出力装置に対応した一の音量及び前記他の音声出力装置に対応した他の音量を含み、前記出力端子に音声出力装置が接続されたことを検出する検出手段を備え、前記検出手段にて音声出力装置が接続されたことが検出された場合に、前記設定部は、前記一の音量又は他の音量を強制的に設定する手段を備えることを特徴とする。
【００１０】
本発明においては、出力端子に音声出力装置が接続されたときには、予め設定された一の音量又は他の音量を強制的に設定する。一の音量又は他の音量を所定値以下に設定しておくことによって、耳に装着される音声出力装置及び他の音声出力装置のいずれを出力端子に接続しても、ユーザの鼓膜に過大な負荷を与えることはない。
【００１１】
本発明に係る音量制御装置は、前記検出手段にて音声出力装置が接続されたことが検出された場合に、前記一の音量又は他の音量が強制的に設定されたことを報知する報知手段を備えることを特徴とする。
【００１２】
本発明においては、一の音量又は他の音量が強制的に設定されたことをユーザに報知することによって、出力端子に接続した音声出力装置に対応した音量を選択することをユーザに促すことができる。
【００１３】
本発明に係る表示装置は、前述した音量制御装置と、映像を表示する表示部とを備え、前記報知手段は、前記一の音量又は他の音量が強制的に設定されたことを前記表示部に表示させるようにしてあることを特徴とする。
【００１４】
本発明においては、一の音量又は他の音量が強制的に設定された場合に、前記一の音量が強制的に設定されたことをユーザに視覚を通じて訴求する。
【００１５】
本発明に係る表示装置は、前述した音量制御装置と、映像を表示する表示部とを備え、前記受付手段は、前記記憶部に記憶された前記各音量からいずれかの音量を選択するための選択肢を前記表示部に表示させるようにしてあることを特徴とする。
【００１６】
本発明においては、選択肢を表示部に表示することによって、ユーザの視覚を通じて音量の選択を行う。
【発明の効果】
【００１７】
本発明に係る音量制御装置及び表示装置にあっては、出力端子に接続される音声出力装置に対応した音量を選択でき、例えば、モニタアウトと、モニタアウトに比べて小さな音量を放出するヘッドフォンとが出力端子を共用する場合でも、ヘッドフォンから過大な音量が放出されることはないので、ユーザは出力端子に接続される音声出力装置に適した音量で、音声を聴取することができる。
【図面の簡単な説明】
【００１８】
【図１】実施の形態に係る表示装置を示す外観斜視図である。
【図２】実施の形態に係る表示装置の音量制御装置を示すブロック図である。
【図３】実施の形態に係る表示装置の表示部に表示される操作画面の一例を示す模式図である。
【図４】実施の形態に係る表示装置の音量制御装置による音量設定予備処理を示すフローチャートである。
【図５】実施の形態に係る表示装置の表示部に表示される報知画面の一例を示す模式図である。
【図６】実施の形態に係る表示装置の音量制御装置による音量設定処理を示すフローチャートである。
【発明を実施するための形態】
【００１９】
以下本発明を実施の形態に係る表示装置を示す図面に基づいて詳述する。図１は表示装置を示す外観斜視図である。
図において１は表示装置であり、表示装置１は矩形枠状のフロントキャビネット２を備えている。該フロントキャビネット２の後側には、前面が開放された矩形箱形のリヤキャビネット３が設けてある。該リヤキャビネット３の上下及び左右寸法は、フロントキャビネット２と略同じであり、フロントキャビネット２の係合部及びリヤキャビネット３の被係合部（いずれも図示せず）が係合している。
【００２０】
フロントキャビネット２は、矩形板状の表示部４を収容している。表示部４は、フロントキャビネット２の前部に対面している。前記表示部４は液晶を備えており、液晶への印加電圧を制御することによって、表示部４を透過する光の透光率を調整するように構成されている。液晶への印加電圧の制御は、ＴＦＴ(Thin Film Transistor)を介して行われる。表示部４の後側には、ＬＥＤ(Light Emitting Diode)又は冷陰極蛍光管などの光源（図示せず）が配置されている。フロントキャビネット２の側面に、音声信号を出力する出力端子５（例えばジャック）が設けてある。該出力端子５は、後述の音量制御装置２０にて制御された音声信号を出力する。
【００２１】
図２は、音量制御装置２０を示すブロック図である。なお図２中、白抜矢符は映像及び音声に係るデータの専用経路を示す。
音量制御装置２０は、共通バスを介して相互に接続された制御部２１と、チューナ２２と、放送信号処理部２３と、受光部２４と、デコーダ２５と、媒体信号処理部２６と、映像出力部２７と、音声出力部２８と、音量設定部２９と、音声出力切換部３０と、ミュート回路３１とを備える。
【００２２】
また音量制御装置２０は、前記出力端子５に入力端子（例えばプラグ）５１ａ、５２ａが接続されたことを検出する検出スイッチ３２と、遠隔操作装置３３とを備える。遠隔操作装置３３は、複数の操作スイッチを備えており、該操作スイッチの操作によって、出力端子５から出力される音声信号に係る音量を受け付け、受光部２４に音量を示す信号を出力する。なお遠隔操作装置３３に代えて、有線で接続された操作部又は操作装置を設けてもよい。この場合、操作部又は操作装置は、出力端子５から出力される音声信号に係る音量を受け付けて、音量を示す信号を制御部２１に出力する。
【００２３】
制御部２１はＭＰＵ(Micro Processing Unit)、ＲＯＭ(Read Only Memory)及びＲＡＭ(Random Access Memory)などを備え、ＲＯＭに格納された制御プログラムをＲＡＭに読み込んで、映像出力及び音声出力に係る処理を実行する。制御部２１には、前記出力端子５に入力端子５１ａ、５２ａが接続されたことを示す検出信号が検出スイッチ３２から入力されるようにしてある。なおＲＯＭには、映像を表示するための素材データが格納してある。
【００２４】
チューナ２２はアンテナ６０に接続してある。チューナ２２はアンテナ６０から放送波を入力し、入力した放送波から制御部２１によって指定されたチャンネルの放送信号を抽出する。チューナ２２は、抽出した放送信号を放送信号処理部２３へ出力する。なお放送信号には映像データ及び音声データが含まれる。
【００２５】
放送信号処理部２３は、例えば、ＩＦ(InterFace)回路、音声検波回路、映像検波回路及びＡ／Ｄ(Analog/Digital)変換回路（いずれも図示せず）などを備えている。放送信号処理部２３は、チューナ２２から出力された放送信号の映像データ及び音声データを映像出力部２７及び音声出力部２８にそれぞれ出力する。
【００２６】
受光部２４は遠隔操作装置３３から出力された赤外線信号を受光し、受光した赤外線信号に基づいて、操作信号を出力する。なお制御部２１は、操作信号に基づいて、チューナ２２、放送信号処理部２３、デコーダ２５、媒体信号処理部２６、映像出力部２７、音声出力部２８、音量設定部２９、音声出力切換部３０及びミュート回路３１を制御する。
【００２７】
デコーダ２５は、光ディスクなどの記録媒体からデータを読み出す記録媒体駆動装置６１に接続してある。デコーダ２５は、記録媒体駆動装置６１から圧縮されたデータ、例えばＭＰＥＧ(Moving Picture Experts Group)にて圧縮したデータを取り込み、伸張する。デコーダ２５は、伸張したデータを媒体信号処理部２６へ出力する。またデコーダ２５は、取り込んだデータに対し、誤り検出及び訂正処理などの所定の処理を実行する。
【００２８】
媒体信号処理部２６は、デコーダ２５より入力されたデータから映像データ及び音声データを抽出し、抽出した映像データ及び音声データを映像出力部２７及び音声出力部２８にそれぞれ出力する。
【００２９】
映像出力部２７は、映像を表示する表示部４に接続してある。表示部４は、例えば液晶表示パネル、有機ＥＬパネル又はプラズマディスプレイなどを備える。映像出力部２７は、放送信号処理部２３又は媒体信号処理部２６から入力された映像データに基づいて、表示用信号を生成する。映像出力部２７は生成した表示用信号を表示部４へ出力する。
【００３０】
音声出力部２８は、放送信号処理部２３又は媒体信号処理部２６から入力された音声データに基づいて、音声信号を生成し、生成した音声信号を音量設定部２９へ出力する。
【００３１】
音量設定部２９は、制御部２１からの指令に基づいて、音声出力部２８から入力された音声信号に係る音量を設定する。音量設定部２９は記憶部２９ａを備えている。該記憶部２９ａには、耳に装着される第１音声出力装置（例えばヘッドフォン又はイヤフォンなど）５２の入力端子５１ａが出力端子５に接続される場合に設定される第１初期音量と、ユーザが音を聴取するときに、耳に装着される第１音声出力装置５１よりも大きな音量を必要とする音声出力装置（以下モニタアウトという）５２の入力端子５２ａが出力端子５に接続される場合に設定される第２初期音量とを記憶してある。モニタアウトとしては、例えば外付けスピーカが挙げられる。また記憶部２９ａは記憶領域を備えており、該記憶領域に第１初期音量又は第２初期音量を設定するためのフラグを立てることができる。
【００３２】
第１初期音量及び第２初期音量は、−３６[dBFS]以下である。当該音量は、耳に装着される音声出力装置から当該音量で音声を出力した場合に、ユーザの鼓膜に過大な負荷を与えない音量であり、ユーザに不快感を与えない音量である。
【００３３】
また第２初期音量は、モニタアウトから当該音量で音声を出力した場合に、耳に装着される音声出力装置から第１初期音量で音声を出力した場合と略同音量としてユーザに知覚される音量である。
【００３４】
音声出力切換部３０は、音声出力部２８から入力された音声信号の出力先を出力端子５又はミュート回路３１に切り換える。音声出力切換部３０は、検出スイッチ３２から検出信号が入力されるように構成してあり、検出信号が入力された場合、音声信号の出力先を出力端子５に切り換える。また音声出力切換部３０は、制御部２１からの指令に基づいて、音声信号の出力先を切り換える。
【００３５】
ミュート回路３１は、アンプ４１を介して内蔵スピーカ６に音声信号を出力するように構成してある。ミュート回路３１がオン状態にある場合、ミュート回路３１から内蔵スピーカ６へ音声信号は出力されない。ミュート回路３１がオフ状態にある場合、ミュート回路３１から内蔵スピーカ６へ音声信号が出力される。
【００３６】
なお検出スイッチ３２から制御部２１に検出信号が入力された場合、制御部２１は、ミュート回路３１にオン指令を送信する。オン指令を受信したミュート回路３１はオン状態となる。
【００３７】
音声出力切換部３０にて、音声信号の出力先が出力端子５に切り換わっている場合、音声出力切換部３０からアンプ４０を介して出力端子５に音声信号が出力される。また本実施の形態においては、映像及び音声に係るデータは、専用経路を通って出力されるが、これに限定されるものではなく、たとえば共通バスを介して出力される構成であっても良い。
【００３８】
音量制御装置２０は、出力端子５から出力される音声信号に係る音量を設定する指令を遠隔操作装置３３から受信した場合、ＲＯＭに格納した素材データと共に後述する操作画面７１（図３参照）を表示する指令を映像出力部２７に送信する。映像出力部２７は、受信した素材データを基に操作画面７１を表示する表示用信号を生成し、表示部４に出力する。生成された表示用信号を受信した表示部４は、操作画面７１を表示する。
【００３９】
図３は表示部４に表示される操作画面７１の一例を示す模式図である。
操作画面７１は、タイトル部７１ａと、説明部７１ｂと、第１選択ボタン７１ｃと、第２選択ボタン７１ｄとを備える。タイトル部７１ａの下側に説明部７１ｂが配してあり、説明部７１ｂの下側にて第１選択ボタン７１ｃ及び第２選択ボタン７１ｄが左右に並べてある。
【００４０】
タイトル部７１ａは、操作画面７１の趣旨、すなわち、出力端子５に接続される音声出力装置に応じて音量を設定することを示す表題である。なお図３における「ヘッドフォン」は耳に装着する第１音声出力装置５１に対応し、「モニタアウト」はユーザが音を聴取するときに、耳に装着される第１音声出力装置５１よりも大きな音量を必要とする第２音声出力装置５２に対応している。
【００４１】
説明部７１ｂは、出力端子５に第１音声出力装置５１又は第２音声出力装置５２のいずれを接続するのかを確認するための説明を表示する。
第１選択ボタン７１ｃは、出力端子５に第１音声出力装置５１を接続する場合に押下されるボタンである。第２選択ボタン７１ｄは、出力端子５に第２音声出力装置５２を接続する場合に押下されるボタンである。ユーザは、必要に応じて遠隔操作装置３３を操作し、操作画面７１に表示された第１選択ボタン７１ｃ又は第２選択ボタン７１ｄを押下する。
【００４２】
音量制御装置２０は、出力端子５に音声出力装置が接続されていない場合に、遠隔操作装置３３から出力端子５から出力される音声信号に係る音量を設定する指令を受信すると、音声出力装置に係る音量を設定する前段階として音量設定予備処理を実行する。図４は音量制御装置２０による音量設定予備処理を示すフローチャートである。
【００４３】
音量制御装置２０の制御部２１は、出力端子５から出力される音声信号に係る音量を設定する指令を遠隔操作装置３３から受信するまで待機する（ステップＳ１：ＮＯ）。出力端子５から出力される音声信号に係る音量を設定する指令を遠隔操作装置３３から受信した場合（ステップＳ１：ＹＥＳ）、制御部２１は、映像出力部２７にＲＯＭに格納した素材データと共に操作画面７１を表示する指令を送信する（ステップＳ２）。
【００４４】
次に制御部２１は、遠隔操作装置３３から第１選択ボタン７１ｃを押下したことを示す信号を受信したか否か判定する（ステップＳ３）。遠隔操作装置３３から第１選択ボタン７１ｃを押下したことを示す信号を受信した場合（ステップＳ３：ＹＥＳ）、制御部２１は、音量設定部２９の記憶部２９ａにアクセスし、第１初期音量を設定するためのフラグを立てる（ステップＳ４）。ヘッドフォン、イヤフォンなどの第１音声出力装置５１を出力端子５に接続する場合、ユーザは第１選択ボタン７１ｃを押下すると推測される。そして制御部２１は、処理を終了する。
【００４５】
遠隔操作装置３３から第１選択ボタン７１ｃを押下したことを示す信号を受信していない場合（ステップＳ３：ＮＯ）、制御部２１は、遠隔操作装置３３から第２選択ボタン７１ｄを押下したことを示す信号を受信したか否か判定する（ステップＳ５）。遠隔操作装置３３から第２選択ボタン７１ｄを押下したことを示す信号を受信していない場合（ステップＳ５：ＮＯ）、制御部２１は、ステップＳ３へ処理を戻す。遠隔操作装置３３から第２選択ボタン７１ｄを押下したことを示す信号を受信した場合（ステップＳ５：ＹＥＳ）、制御部２１は音量設定部２９の記憶部２９ａにアクセスし、第２初期音量を設定するためのフラグを立てる（ステップＳ６）。第２音声出力装置５２（モニタアウト）を出力端子５に接続する場合、ユーザは第２選択ボタン７１ｄを押下すると推測される。
【００４６】
なお制御部２１は、上記二つのフラグの内、一方のみを立てることができ、二つのフラグを同時に立てることはできない。
【００４７】
図５は、表示部４に表示される報知画面７２の一例を示す模式図である。制御部２１は、出力端子５に入力端子５１ａ、５２ａが接続された場合に、ＲＯＭに格納した素材データと共に報知画面７２を表示する指令を映像出力部２７に送信する。映像出力部２７は、受信した素材データを基に報知画面７２を表示する表示用信号を生成し、表示部４に出力する。生成された表示用信号を受信した表示部４は、報知画面７２を表示する。
【００４８】
報知画面７２は、タイトル部７２ａと、説明部７２ｂとを備える。タイトル部７２ａの下側に説明部７２ｂが配してある。タイトル部７２ａは、報知画面７２の趣旨、すなわち、ユーザに対する注意を示す表題である。説明部７２ｂは、出力端子５に入力端子５１ａ、５２ａ、すなわち音声出力装置が接続されたことによって、音量として第１初期音量を設定したことを表示している。図５において、「過大出力防止のため、音量を下げました。」は、第１初期音量を設定したことに対応する。
【００４９】
次に音量制御装置２０による音量設定処理について説明する。図６は音量制御装置２０による音量設定処理を示すフローチャートである。
【００５０】
音量制御装置２０の制御部２１は、検出スイッチ３２から入力端子５１ａ、５２ａが接続されたことを示す検出信号が入力されるまで待機する（ステップＳ１１：ＮＯ）。検出スイッチ３２から入力端子５１ａ、５２ａが接続されたことを示す検出信号が入力された場合（ステップＳ１１：ＹＥＳ）、制御部２１は、ミュート回路３１にオン指令を送信する（ステップＳ１２）。
【００５１】
そして制御部２１は、ＲＯＭに格納した素材データと共に報知画面７２を表示する指令を映像出力部２７に送信する（ステップＳ１３）。次に制御部２１は、音量設定部２９の記憶部２９ａにアクセスし、フラグの立っている第１初期音量又は第２初期音量を音量設定部２９に設定する（ステップＳ１４）。
【００５２】
次に制御部２１は、映像出力部２７にＲＯＭに格納した素材データと共に操作画面７１を表示する指令を送信する（ステップＳ１５、図３参照）。そして遠隔操作装置３３から第１選択ボタン７１ｃを押下したことを示す信号を受信したか否か判定する（ステップＳ１６）。遠隔操作装置３３から第１選択ボタン７１ｃを押下したことを示す信号を受信した場合（ステップＳ１６：ＹＥＳ）、制御部２１は、音量設定部２９の記憶部２９ａにアクセスし、第１初期音量を音量設定部２９に設定し（ステップＳ１７）、処理を終了する。
【００５３】
遠隔操作装置３３から第１選択ボタン７１ｃを押下したことを示す信号を受信しなかった場合（ステップＳ１６：ＮＯ）、制御部２１は、遠隔操作装置３３から第２選択ボタン７１ｄを押下したことを示す信号を受信したか否か判定する（ステップＳ１８）。遠隔操作装置３３から第２選択ボタン７１ｄを押下したことを示す信号を受信しなかった場合（ステップＳ１８：ＮＯ）、制御部２１はステップＳ１６へ処理を戻す。遠隔操作装置３３から第２選択ボタン７１ｄを押下したことを示す信号を受信した場合（ステップＳ１８：ＹＥＳ）、制御部２１は、第２初期音量を音量設定部２９に設定する（ステップＳ１９）。
【００５４】
なおステップＳ１５において表示される操作画面は、図３に示した選択式の操作画面に限定されない。例えば、フラグの立っている第１初期音量又は第２初期音量を示すアイコン付きの音量バーを表示する操作画面であってもよい。この場合、遠隔操作装置３３の操作によって音量バーの色、長さなどが変化し、音量が変化する。またステップＳ１２を省略し、報知画面７２を表示させなくてもよい。
【００５５】
なお音量制御装置２０は、出力端子５に音声出力装置が接続されている場合に、遠隔操作装置３３から出力端子５から出力される音声信号に係る音量を設定する指令を受信すると、音量制御装置２０は、ステップＳ１５〜ステップＳ１９を実行する。
【００５６】
実施の形態に係る音量制御装置２０及び表示装置にあっては、出力端子５に接続される音声出力装置に対応した音量を選択でき、例えば、モニタアウトと、モニタアウトに比べて小さな音量を放出するヘッドフォンとが出力端子５を共用する場合でも、ヘッドフォンから過大な音量が放出されることはないので、ユーザは出力端子５に接続される音声出力装置に適した音量で、音声を聴取することができる。
【００５７】
また、出力端子５に接続される音声出力装置に対応した複数の音量から一の音量を選択できる。そのためモニタアウトと、モニタアウトに比べて小さな音量を放出するヘッドフォンとが出力端子５を共用する場合でも、ヘッドフォンから過大な音量が放出されることはなく、ユーザの鼓膜に過大な負担を与えることを回避することができる。またユーザは、操作画面７１を介して、使用する音声出力装置に対応した音量を設定することができ、所望の音量を確実に設定することができる。
【００５８】
また、耳に装着される音声出力装置（ヘッドフォン及びイヤフォンなど）から出力される第１初期音量と、他の音声出力装置から出力される第２初期音量とを所定値、例えば−３６[dBFS]以下にすることによって、耳に装着される音声出力装置及び他の音声出力装置のいずれを出力端子に接続しても、ユーザの鼓膜に過大な負荷を与えることを回避することができる。
【００５９】
また、選択肢を表示部４に表示することによって、ユーザは視覚を通じて音量の選択を確実に行うことができる。
【００６０】
また、出力端子５に音声出力装置が接続された場合に、フラグの立っている第１初期音量又は第２初期音量を強制的に設定するので、ユーザの鼓膜に過大な負担を与えることを確実に回避することができる。
【００６１】
また、フラグの立っている第１初期音量又は第２初期音量が設定されたことをユーザに報知することによって、出力端子５に接続した音声出力装置に対応した音量を選択することをユーザに促すことができる。そのためユーザは設定すべき音量に注意を向けるので、ユーザによる音量の誤設定を低減させることができる。
【００６２】
また、フラグの立っている第１初期音量又は第２初期音量が強制的に設定された場合に、報知画面７２を表示部４に表示して、第１初期音量又は第２初期音量が強制的に設定されたことをユーザに訴求するので、ユーザは視覚を通じて確実に報知内容を理解することができる。
【００６３】
また、耳に装着される音声出力装置（ヘッドフォン及びイヤフォンなど）以外の他の音声出力装置が出力端子５に接続された場合に、他の音声出力装置の種類に拘わらず、音声出力装置から放出された音声を聴取したユーザは、耳に装着されるの音声出力装置で聴取した場合と同音量であると知覚し、一の音声出力装置と他の音声出力装置とを切り換えても、切換の前後でユーザは違和感を持たない。そのためユーザは快適に音声を聴取することができる。
【００６４】
なお実施の形態に係る音量制御装置２０及び表示装置１は、二種類の音声出力装置が出力端子５を共用する場合について述べており、そのため記憶部２９ａには二つの初期音量が記憶してあるが、これに限定されるものではなく、記憶部２９ａには、出力端子５に接続される音声出力装置の種類に対応した数の初期音量が記憶される。そのため三種類以上の音声出力装置が出力端子５を共用する場合には、三つ以上の初期音量が記憶部２９ａに記憶される。この場合でも、耳に装着される音声出力装置以外の音声出力装置から、対応する初期音量で音声を出力した場合、耳に装着される音声出力装置以外の音声出力装置からは、耳に装着される音声出力装置から第１初期音量で音声を出力した場合と略同音量としてユーザに知覚される音量で音声が出力される。
【００６５】
また実施の形態に係る音量制御装置２０は、表示装置１に適用しているが、携帯音楽再生装置、音楽再生機能を備える携帯電話及びＰＤＡ(Personal Digital Assistant)などへ適用することもできる。また実施の形態に係る音量制御装置２０は、遠隔操作装置３３及び操作画面７１によって、音量を設定しているが、音量の設定を受け付ける手段はこれに限定されない。例えば、音量設定用のスイッチを設けて、該スイッチによって音量を設定してもよい。
【００６６】
なお実施の形態に係る音量制御装置２０は、報知画面７２を表示することによって、第１初期音量が強制的に設定されたことをユーザに報知しているが、ユーザへの報知はこれに限定されるものではない。例えば、報知用のランプを設けて、該ランプを点灯させてもよいし、内部スピーカから報知音声を出力する構成でもよい。
【００６７】
以上説明した実施の形態は本発明の例示であり、本発明は特許請求の範囲に記載に基づいて定められる範囲内において種々変更した形態で実施することができる。
【符号の説明】
【００６８】
１  表示装置
４  表示部
５  出力端子
２０  音量制御装置
２４  受光部
２９  音量設定部（設定部）
２９ａ  記憶部
３２  検出スイッチ（検出手段）
３３  遠隔操作装置（受付手段）
５１  第１音声出力装置
５２  第２音声出力装置
７１  操作画面
７２  報知画面
【図１】
2011223170.tif 000003
【図２】
2011223170.tif 000004
【図３】
2011223170.tif 000005
【図４】
2011223170.tif 000006
【図５】
2011223170.tif 000007
【図６】
2011223170.tif 000008